(57)【要約】【課題】米の乾燥機の燃料代をいらなくする。米の乾燥機の維持費、修理代を少なくする。米の乾燥機の購入代金を安くする。米の乾燥機と運搬用ボックスを１台で２役兼用させる。米の乾燥機の耐用年数を延ばす。農家から出荷される米を天日乾燥米（付加価値米で高く販売）として販売できるようにする。燃料のいらない米の乾燥機を提供する。【解決手段】自然の乾燥した空気と天日を利用して乾燥する為に、網状回転ドラム（１）の中に  空気抜き取り装置（２）を設け、そこから中心部の空気を吸引する事で外部の乾燥した空気を籾内に取り入れ、さらに天日を当てる事で、米の乾燥をする。さらに、回転ドラムを斜めにする事で乾燥のムラを無くして、尚且つ、複雑な構造と部品を少なくする。さらに重量を軽くし、太陽発電なども使えるようにする事で運搬と兼用し、１台で乾燥機と、運搬用の２台分を兼用させる。【選択図】図１
2010065859.tif 000002
【特許請求の範囲】
【請求項１】
被乾燥対象物が収容される網状回転ドラム（１）と該網状回転ドラムの中心を貫通する空気抜き取り装置（２）とからなる乾燥機であって前記網状回転ドラムは地表に対し一定の角度で設けられ、かつ網状回転ドラムの外周には複数の長尺の網が軸方向に垂下するように設けられていることを特徴とする乾燥機。
【請求項２】
前記空気抜き取り装置（２）の周囲に複数の撹拌羽根（７）が設けられていることを特徴とする請求項１記載の乾燥機。
【請求項３】
網状回転ドラム（１）の上部に設けられている籾の搬入口（３）に網（４）を設けられていることを特徴とする請求項１記載の乾燥機。
【請求項４】
前記網（４）の先端に網振動用突起（９）および突起（９）の先端にローラー（１１）を、前記網状回転ドラム（１）の外周部に歯車（１２）を設けられていることを特徴とする請求項３記載の乾燥機。
【請求項５】
前記網（４）の上に送風ファン（５）を取り付けられていることを特徴とする請求項３または請求項４記載の乾燥機。
【発明の詳細な説明】
【技術分野】
【０００１】
本発明は、燃料のいらない乾燥機に関するものである。本発明の乾燥機は、米の乾燥、麦の乾燥、そばの乾燥、大豆の乾燥、小豆の乾燥、その他五穀の乾燥などに使える。
【背景技術】
【０００２】
米の乾燥機は従来灯油などの燃料などを使い、バーナーで温風を送風して米を乾燥してますが、燃料が必要であり、機械も構造が複雑で故障が出やすかったりして、維持費などコストがかかる。
【発明の開示】
【発明が解決しようとする課題】
【０００３】
従来の米の乾燥機は次のような欠点があった。
イ、   燃料などのコストがかかる。
ロ、    
故障が出やすく、機械の部品の消耗が激しいため、維持費や修理代がかかる。
ハ、    
機械代が高い。
ニ、    
乾燥以外には使えない。
ホ、    
天日乾燥が出来ない。
ヘ、    
急激乾燥の為、米が胴割れしやすい。
【０００４】
本発明はこのような問題を解決しようとするものであり、燃料を用いず天日乾燥も行え、簡易な構造で故障が少なく、乾燥のみならず被乾燥物のゴミ除去や運搬にも使える。また、米などの被乾燥物が胴割れしにくい。
【課題を解決するための手段】
【０００５】
本発明に係る乾燥機は、被乾燥対象物が収容される網状回転ドラム（１）と該網状回転ドラムの中心を貫通する空気抜き取り装置（２）とからなる乾燥機であって前記網状回転ドラムは地表に対し一定の角度で設けられ、かつ網状回転ドラムの外周には複数の長尺の網が軸方向に垂下するように設けられている。
空気抜き取り装置（２）は空気吸引ファン（６）と穴あきの筒とからなっており、被乾燥対象物は網状回転ドラム（１）のなかでかき混ぜられながら吸引される空気の流れによりむらなく乾燥される。
また、本発明の乾燥機を日向に置けば天日による乾燥も加わってより有利に乾燥できる。
【０００６】
また、前記空気抜き取り装置（２）の周囲に複数の撹拌羽根（７）を設けることにより、更に被乾燥対象物がよくかき混ぜられ、より効率よく乾燥が行える。
【０００７】
また、網状回転ドラム（１）の上部に設けられている籾の搬入口（３）に網（４）を設けることにより、投入する被乾燥対象物に混在する稲藁などのゴミを取り除くことができる。
【０００８】
更に、前記網（４）の先端に網振動用突起（９）および突起（９）の先端にローラー（１１）を設け、前記網状回転ドラム（１）の外周部に歯車（１２）を設けた乾燥機は、網状回転ドラム（１）の回転により突起（９）がローラー（１１）および歯車（１２）を介して上下に振動し、網（４）が振動して網の目詰まりを防ぐことができる。
【０００９】
更に、前記網（４）の上に送風ファン（５）を取り付けた乾燥機は、投入する被乾燥対象物に混在する籾殻などの軽いゴミを網（４）に落ちる前に吹き飛ばすことにより軽いゴミを除去することができる。
【発明の効果】
【００１０】
燃料がいらなく、運搬作業にも利用でき、新鮮で美味しい米（昔ながらの、架け干しによる天日乾燥の米と同様な米）にでき、なおかつ、エコにより二酸化炭素の排出を多く削減でき、地球環境に大きく貢献できる。国内の米の乾燥だけで年間約２００億円以上使われている灯油代を削減できる。
イ、   空気の吸引と天日による乾燥をするので、燃料がいらない。
ロ、     
空気の吸引とドラム式を取り入れる為、複雑な構造や部品が少なくて済む。
ハ、     
構造が簡単で無駄な部品が必要なく、安く製作できる。
二、   構造が簡単で軽量なので、運搬用にも利用できる。
ホ、     
収穫時から最後まで天日が当たるので、天日乾燥できる。
へ、   ゆっくり乾燥するので同割れしにくい。     
【発明を実施するための最良の形態】
【００１１】
【実施例１】
【００１２】
本発明の実施の形態を図１〜図３に基づいて説明する。
図においては
イ、    網状回転ドラム（１）の中心を貫通する空気抜き取り装置（２）を設ける。
ロ、    空気抜き取り装置（２）から空気を吸引する事で外気の乾燥した空気を籾の中に取り入れ、籾の周りの湿った空気を抜き取る。この作用で籾の乾燥を進める。
ハ、 同時に網状回転ドラム（１）の網の隙間と籾の搬入口（３）とから太陽光を取り入れ、天日乾燥をする。
ニ、籾の搬入口（３）の上部に網（４）を設けて稲ワラや雑草などの混入を防ぐ。  
ホ、  網（４）の先端に網振動用突起（９）および突起（９）の先端にローラー（１１）を設け、前記網状回転ドラム（１）の外周部に歯車（１２）を設けた乾燥機                                                                                
ヘ、   
網（４）の上に送風機をつけて、稲ワラや雑草、その他籾殻や半じら、雑草の種など吹き飛ばす。
【産業上の利用可能性】
【００１３】
本発明の乾燥機は主に農業分野で利用できる。
【図面の簡単な説明】
【００１４】
【図１】本発明の乾燥機の側面図
【図２】本発明の乾燥機の平面図
【図３】網状回転ドラム（１）の断面図
【符号の説明】
【００１５】
１    網状回転ドラム
２    空気抜き取り装置
３    籾の搬入口
４    網
５    送風フアン
６    空気吸引フアン
７    羽根
８    回転ドラムの網
９    網振動用突起
１０  網をとじる為の突起
１１  ローラー
１２  歯車
【図１】
2010065859.tif 000003
【図２】
2010065859.tif 000004
【図３】
2010065859.tif 000005